(57)【要約】【課題】紙幣を収納部に収納する際に記番号を認識する構成において、その収納処理をスムースにする。【解決手段】紙幣処理装置（紙幣入出金機１Ａ）の収納制御部（制御部５１３）は、識別部２５によって金種を認識しかつ、記番号を所定の桁数以上認識した紙幣を、第１種の収納部（収納カセット３１）に収納すると共に、識別部によって金種を認識しかつ、記番号を所定の桁数未満だけ認識した紙幣を、第２種の収納部（回収カセット５３、一時保留部５１）に収納する。【選択図】図６
2013205909.tif 000002
【特許請求の範囲】
【請求項１】
それぞれ紙幣を収納するように構成された第１種の収納部及び第２種の収納部と、
前記紙幣の、少なくとも金種及び記番号を認識するように構成された識別部と、
前記紙幣を前記収納部に収納する処理の際に、前記識別部によって前記金種を認識しかつ、前記記番号を所定の桁数以上認識した紙幣を、前記第１種の収納部に収納すると共に、前記識別部によって前記金種を認識しかつ、前記記番号を前記所定の桁数未満だけ認識した紙幣を、前記第２種の収納部に収納するように構成された収納制御部と、を備えている紙幣処理装置。
【請求項２】
前記第１種の収納部は、収納している前記紙幣を繰り出し可能に構成された収納部であり、
前記第２種の収納部は、収納している前記紙幣を繰り出し不可能に構成された収納部であり、
前記収納制御部は、前記紙幣の入金処理時に、前記識別部によって前記金種を認識しかつ前記所定の桁数以上の前記記番号を認識した紙幣を、前記第１種の収納部に収納すると共に、前記金種を認識しかつ前記所定の桁数未満だけ前記記番号を認識した紙幣を、前記第２種の収納部に収納する請求項１に記載の紙幣処理装置。
【請求項３】
少なくとも前記第１種の収納部に収納している各紙幣の前記記番号を記憶するように構成された記憶部をさらに備え、
前記収納制御部は、前記入金処理時に、前記識別部によって認識した前記記番号に基づいて前記記憶部の記憶内容を更新する請求項２に記載の紙幣処理装置。
【請求項４】
前記収納制御部は、前記第１種の収納部内に紙幣を補充するための補充処理時に、前記識別部によって前記金種及び前記所定の桁数以上の前記記番号を認識した紙幣を、前記第１種の収納部に収納すると共に、前記金種を認識しかつ、前記所定の桁数未満だけ前記記番号を認識した紙幣を、機外に払い出す請求項２又は３に記載の紙幣処理装置。
【請求項５】
紙幣の収納及び繰出が可能となるように構成された一時保留部をさらに備え、
前記収納制御部は、前記補充処理の最中に、前記識別部によって前記金種を認識しかつ、前記所定の桁数未満だけ前記記番号を認識した紙幣を前記一時保留部に収納すると共に、前記補充処理の終了後、前記一時保留部に収納している紙幣を繰り出して、前記識別部による記番号の認識を再度行うようにし、
前記収納制御部はまた、再度の認識によって、所定桁数以上の記番号を認識した紙幣を前記第１種の収納部に収納すると共に、前記所定桁数未満だけ記番号を認識した紙幣を、機外に払い出す請求項４に記載の紙幣処理装置。
【請求項６】
少なくとも前記第１種の収納部に収納している各紙幣の前記記番号を記憶するように構成された記憶部と、
ユーザが記番号を入力操作するように構成された記番号入力部とをさらに備え、
前記識別部は、前記紙幣の記番号を、当該紙幣を撮像した画像データに基づいて認識するように構成され、
前記収納制御部は、前記補充処理の終了後に、前記記番号入力部を通じて記番号を入力する記番号入力モードが選択されたときには、前記機外に払い出した紙幣の前記画像データを前記ユーザに提示すると共に、前記記番号入力部を通じて入力された記番号を前記記憶部に記憶させる請求項４又は５に記載の紙幣処理装置。
【請求項７】
少なくとも前記第１種の収納部に収納している各紙幣の前記記番号を記憶するように構成された記憶部と、
ユーザが記番号を入力操作するように構成された記番号入力部とをさらに備え、
前記収納制御部は、前記補充処理の終了後に、記番号を前記記番号入力部を通じて入力する記番号入力モードが選択されたときには、前記機外に払い出した紙幣について、前記識別部において認識した記番号の情報を、前記ユーザに提示すると共に、前記記番号入力部を通じて入力された記番号を前記記憶部に記憶させる請求項４〜６のいずれか１項に記載の紙幣処理装置。
【請求項８】
前記紙幣が投入される入金口を有しかつ、当該入金口に投入されている紙幣を機内に繰り出すように構成された入金部をさらに備え、
前記入金部は、前記記番号入力モードにおいては、前記記番号入力部を通じて前記記番号が入力される度に、それに対応する紙幣を前記入金口から機内に繰り出す請求項６又は７に記載の紙幣処理装置。
【請求項９】
前記紙幣が投入される入金口を有しかつ、当該入金口に投入されている紙幣を機内に繰り出すように構成された入金部をさらに備え、
前記入金部は、前記記番号入力モードにおいては、前記記番号入力部を通じて、前記機外に払い出した紙幣全ての記番号が入力された後に、前記入金口に投入されている紙幣を一枚一枚、機内に繰り出す請求項６又は７に記載の紙幣処理装置。
【請求項１０】
前記識別部は、前記記番号入力モードにおいて前記記番号が入力されかつ、前記入金口から繰り出された各紙幣について、少なくとも記番号の認識を行い、
前記収納制御部は、前記記番号入力部を通じて入力された記番号と、前記識別部において認識した記番号との照合を行う請求項８又は９に記載の紙幣処理装置。
【請求項１１】
前記収納制御部は、照合した結果に基づいて前記記憶部の記憶内容を更新する請求項１０に記載の紙幣処理装置。
【発明の詳細な説明】
【技術分野】
【０００１】
本発明は、紙幣処理装置に関する。
【背景技術】
【０００２】
例えば特許文献１には、いわゆる循環式に構成された紙幣入出金機が開示されている。この紙幣入出金機は、入金処理時に、各紙幣の金種、真偽及び正損の識別と共に、記番号を認識した上で、リサイクル収納部に紙幣を収納するようにしている。認識した各紙幣の記番号は、紙幣入出金機における紙幣の管理（例えば機内在高の管理等）に利用している。
【先行技術文献】
【特許文献】
【０００３】
【特許文献１】特開平８−２４９５２４号公報
【発明の概要】
【発明が解決しようとする課題】
【０００４】
ところで、紙幣の記番号の認識精度は、その全桁を、常に確実に認識できるとは限らず、一部の桁を認識することができない場合もある。一方で、記番号によって紙幣の管理を行う場合、原則的には、各紙幣の記番号を全桁、正確に認識する必要がある。
【０００５】
そのため、例えば入金処理の際に、記番号を全桁認識することができなかった紙幣は、受け入れることができないとして、一旦、ユーザに返却し、再投入してもらうような手順が踏まれる。
【０００６】
しかしながら、このような手順では、入金処理に時間がかかってしまうと共に、紙幣の金種等の認識ができても、記番号の認識ができないことだけで、紙幣を受け入れることができなくなるという不都合がある。紙幣入出金機が銀行のテラーカウンターに設置されて出納業務に用いられるような場合では、紙幣入出金機が受け入れることができない紙幣は、例えば機外管理となるため、テラーの負担が大きくなると共に、セキュリティ性の観点からも好ましくない。
【０００７】
ここに開示する技術は、かかる点に鑑みてなされたものであり、その目的とするところは、紙幣を収納部に収納する際に記番号の認識を行う紙幣処理装置において、その紙幣の収納に係る処理を、適切かつスムースに完結させることにある。
【課題を解決するための手段】
【０００８】
ここに開示する紙幣処理装置は、それぞれ紙幣を収納するように構成された第１種の収納部及び第２種の収納部と、前記紙幣の、少なくとも金種及び記番号を認識するように構成された識別部と、前記紙幣を前記収納部に収納する処理の際に、前記識別部によって前記金種を認識しかつ、前記記番号を所定の桁数以上認識した紙幣を、前記第１種の収納部に収納すると共に、前記識別部によって前記金種を認識しかつ、前記記番号を前記所定の桁数未満だけ認識した紙幣を、前記第２種の収納部に収納するように構成された収納制御部と、を備えている。
【０００９】
ここで、「所定の桁数」とは、紙幣を実質的に特定することが可能な桁数として適宜設定すればよく、所定の桁数は、一例として記番号の全桁としてもよい。
【００１０】
また、「紙幣を収納部に収納する処理」には、例えば紙幣処理装置の入金口に投入された紙幣の入金処理、及び、収納部に紙幣を補充する補充処理の双方を含む。補充処理は、入金口に投入された紙幣を収納部に収納する入金口補充処理、及び、紙幣処理装置に装着されたカセット内の紙幣を、収納部に収納するカセット補充処理の双方を含む。
【００１１】
「第１種の収納部」「第２種の収納部」はそれぞれ、一つの収納部の場合、及び、複数の収納部の場合を含む。
【００１２】
また、「識別部」は、金種の認識と記番号の認識とを単一の部位において行ってもよいし、金種の認識と記番号の認識とを別の部位で行ってもよい。つまり、ここでいう識別部は、単一の部位で構成される場合、各々別の機能を有する複数の部位で構成される場合がある。
【００１３】
前記の構成によると、収納制御部は、紙幣の金種を認識しかつ、所定の桁数以上の記番号を認識した紙幣は、第１種の収納部に収納するのに対し、紙幣の金種を認識しかつ、所定の桁数未満しか記番号を認識できない紙幣は、第２種の収納部に収納する。このように、記番号の認識状況に応じて、異なる収納部に、紙幣を分けて収納することで、紙幣を収納する処理の際に、所定の桁数未満しか認識できない紙幣が生じても、全ての紙幣を収納部に収納することができ、その収納処理をスムースに完結することが可能になる。
【００１４】
前記第１種の収納部は、収納している前記紙幣を繰り出し可能に構成された収納部であり、前記第２種の収納部は、収納している前記紙幣を繰り出し不可能に構成された収納部であり、前記収納制御部は、前記紙幣の入金処理時に、前記識別部によって前記金種を認識しかつ前記所定の桁数以上の前記記番号を認識した紙幣を、前記第１種の収納部に収納すると共に、前記金種を認識しかつ前記所定の桁数未満だけ前記記番号を認識した紙幣を、前記第２種の収納部に収納する、としてもよい。
【００１５】
こうすることで、入金処理時に、所定桁数以上の記番号を認識することができた紙幣は、その記番号によって紙幣を特定することができ、記番号に基づく管理が可能であるから、繰り出し可能な第１種の収納部、言い換えるとリサイクル収納部に収納される。その結果、当該紙幣は、例えば出金処理等において、第１種の収納部から繰り出されて機外に払い出される場合がある。
【００１６】
一方、所定桁数以上の記番号を認識することができない紙幣は、紙幣を特定することができず、記番号に基づく管理が不可能であるが、その金種を認識することができれば、入金処理時の金額を確定することができるため、入金処理は完結させることが可能である。そこで、入金処理時に所定桁数以上の記番号を認識することができない紙幣は、繰り出し不可能な第２種の収納部に収納することで、当該紙幣は、例えば出金処理等において機外に払い出されることはない。また、第２種の収納部に収納することで、機外管理の紙幣が無くなり、ユーザ（オペレータ、テラー）の負担軽減及びセキュリティ性の向上も図られる。
【００１７】
従って、入金処理をスムースに完結させつつ、紙幣の管理を適切に行うことが可能になる。
【００１８】
前記紙幣処理装置は、少なくとも前記第１種の収納部に収納している各紙幣の前記記番号を記憶するように構成された記憶部をさらに備え、前記収納制御部は、前記入金処理時に、前記識別部によって認識した前記記番号に基づいて前記記憶部の記憶内容を更新する、としてもよい。
【００１９】
こうすることで、リサイクル収納部である第１種の収納部に収納している紙幣は、記憶部に記憶している記番号に基づいて管理が可能になる。
【００２０】
前記収納制御部は、前記第１種の収納部内に紙幣を補充するための補充処理時に、前記識別部によって前記金種及び前記所定の桁数以上の前記記番号を認識した紙幣を、前記第１種の収納部に収納すると共に、前記金種を認識しかつ、前記所定の桁数未満だけ前記記番号を認識した紙幣を、機外に払い出す、としてもよい。
【００２１】
こうすることで、補充処理時においても、前記の入金処理時と同様に、所定桁数以上の記番号が認識できた紙幣は、リサイクル収納部である第１種の収納部に収納される。これによって、当該紙幣は、記番号に基づき管理されて、例えば出金処理時等において、第１種の収納部から繰り出される場合がある。
【００２２】
一方、所定桁数以上の記番号を認識することができない紙幣は、補充処理時には、入金処理時とは異なり、機外に払い出される。これは、補充処理は、その本来の目的が、リサイクル収納部である第１種の収納部に紙幣を補充することであり、所定桁数以上の記番号を認識することができないからといって、その紙幣を第２種の収納部に収納して、その紙幣を出金処理時等の際に繰り出さないようにするよりも、機外に払い出して、例えば記番号の認識を再度実行したり、また、後述するように記番号を手入力することによって記番号を取得して、できるだけ第１種の収納部に収納することの方が好ましいためである。
【００２３】
このように、所定桁数以上の記番号を認識することができない紙幣に対する処理内容を、入金処理時と補充処理時とで異ならせることにより、入金処理及び補充処理のそれぞれの処理を、適切に完結させることが可能になる。
【００２４】
前記紙幣処理装置は、紙幣の収納及び繰出が可能となるように構成された一時保留部をさらに備え、前記収納制御部は、前記補充処理の最中に、前記識別部によって前記金種を認識しかつ、前記所定の桁数未満だけ前記記番号を認識した紙幣を前記一時保留部に収納すると共に、前記補充処理の終了後、前記一時保留部に収納している紙幣を繰り出して、前記識別部による記番号の認識を再度行うようにし、前記収納制御部はまた、再度の認識によって、所定桁数以上の記番号を認識した紙幣を前記第１種の収納部に収納すると共に、前記所定桁数未満だけ記番号を認識した紙幣を、機外に払い出す、としてもよい。
【００２５】
こうすることで、補充処理時に、所定桁数以上の記番号が認識できない紙幣については、記番号の再認識が、自動的に実行されるため、紙幣処理装置のユーザの手間を省くことが可能になる。
【００２６】
前記紙幣処理装置は、少なくとも前記第１種の収納部に収納している各紙幣の前記記番号を記憶するように構成された記憶部と、ユーザが記番号を入力操作するように構成された記番号入力部とをさらに備え、前記識別部は、前記紙幣の記番号を、当該紙幣を撮像した画像データに基づいて認識するように構成され、前記収納制御部は、前記補充処理の終了後に、前記記番号入力部を通じて記番号を入力する記番号入力モードが選択されたときには、前記機外に払い出した紙幣の前記画像データを前記ユーザに提示すると共に、前記記番号入力部を通じて入力された記番号を前記記憶部に記憶させる、としてもよい。
【００２７】
記番号を手入力する記番号入力モードを設定することにより、補充処理においては、実質的に全ての紙幣の記番号を取得することが可能になり、可能な限りの紙幣が、第１種の収納部に収納（つまり、補充）される。
【００２８】
また、記番号入力モードにおいては、撮像した画像データをユーザに提示する（例えばディスプレイに画像データを表示してもよい）ことで、ユーザは、機外に払い出された紙幣の現物と、提示されている画像データとを参照して、当該紙幣の記番号を適確に手入力することが可能になる。
【００２９】
また、前記収納制御部は、前記補充処理の終了後に、記番号を前記記番号入力部を通じて入力する記番号入力モードが選択されたときには、前記機外に払い出した紙幣について、前記識別部において認識した記番号の情報を、前記ユーザに提示すると共に、前記記番号入力部を通じて入力された記番号を前記記憶部に記憶させる、としてもよい。
【００３０】
こうすることで、記番号入力モードにおいては、ユーザは、提示された記番号の情報から、認識ができなかった桁を特定した上で、機外に払い出された紙幣の現物を見ながら、その認識ができなかった桁の番号のみを手入力すれば足り、記番号の入力を適確に行うことが可能になる。
【００３１】
こうした画像データや記番号の情報をユーザに提示することは、識別部において記番号を認識することができなかった紙幣を、正確に特定する上でも有効である。
【００３２】
前記紙幣処理装置は、前記紙幣が投入される入金口を有しかつ、当該入金口に投入されている紙幣を機内に繰り出すように構成された入金部をさらに備え、前記入金部は、前記記番号入力モードにおいては、前記記番号入力部を通じて前記記番号が入力される度に、それに対応する紙幣を前記入金口から機内に繰り出す、としてもよい。
【００３３】
こうすることで、記番号入力モードにおいては、機外に払い出された紙幣の記番号を入力する度に、当該紙幣を入金口に投入することになり、手入力された記番号の情報と紙幣とが確実に対応するようになる。
【００３４】
これとは異なり、前記入金部は、前記記番号入力モードにおいては、前記記番号入力部を通じて、前記機外に払い出した紙幣全ての記番号が入力された後に、前記入金口に投入されている紙幣を一枚一枚、機内に繰り出す、としてもよい。
【００３５】
こうすることで、記番号入力モードにおいては、機外に払い出された全ての紙幣の記番号を全て入力すればよく、紙幣の一枚一枚について、記番号の入力及び紙幣の投入、という作業を行う必要がないから、記番号の入力作業が効率化する。
【００３６】
前記識別部は、前記記番号入力モードにおいて前記記番号が入力されかつ、前記入金口から繰り出された各紙幣について、少なくとも記番号の認識を行い、前記収納制御部は、前記記番号入力部を通じて入力された記番号と、前記識別部において認識した記番号との照合を行う、としてもよい。
【００３７】
こうすることで、記番号入力モードにおいて手入力された記番号と紙幣との対応付けが正確になる。特に、前述した、機外に払い出した紙幣全ての記番号を、一度に入力する場合には、手入力された記番号と紙幣とを、確実にかつ、正確に対応付けることが実現する。
【００３８】
前記収納制御部は、照合した結果に基づいて前記記憶部の記憶内容を更新する、としてもよい。こうすることで、第１種の収納部に収納している紙幣の管理が適正化する。
【発明の効果】
【００３９】
前記の紙幣処理装置によれば、記番号の認識状況に応じて、第１種の収納部と第２種の収納部とに分けて、紙幣を収納することで、紙幣の収納処理を、適切にかつスムースに完結させることができる。
【図面の簡単な説明】
【００４０】
【図１】紙幣入出金機の概略斜視図である。
【図２】紙幣入出金機の内部構造を示す概略図である。
【図３】紙幣入出金機の動作制御に係る構成を示す図である。
【図４】紙幣入出金機が有する（ａ）カウンタの一覧、（ｂ）記番号リストの一覧を例示する図である。
【図５】紙幣入出金機における記憶部が記憶する記番号リストの説明図である。
【図６】紙幣入出金機における直接入金処理の動作説明図である。
【図７】紙幣入出金機における入金口補充処理の動作説明図である。
【図８】入金口補充処理後の再識別処理の動作説明図である。
【図９】（ａ）（ｂ）記番号入力モード時に表示される表示画面の例示である。
【図１０】紙幣入出金機におけるカセット補充処理の動作説明図である。
【図１１】紙幣入出金機における出金処理の動作説明図である。
【発明を実施するための形態】
【００４１】
以下、本発明の実施形態を図面に基づいて詳細に説明する。ただし、以下の説明は、本質的に例示に過ぎず、本発明、その適用物あるいはその用途を制限するものではない。
【００４２】
紙幣処理装置は、紙幣を処理する多機能装置である。一般に、スーパーマーケットや銀行など、大量に現金が取り扱われる分野において用いられる。例えば、銀行の窓口などでの出納業務や、スーパーマーケットの売上金の管理業務などで、手間のかかる現金の入金や出金、計数、保管管理等の処理に用いられ、紙幣処理装置を用いることで、これら作業の高精度化、効率化を図ることができる。ここで説明する紙幣処理装置は、特に銀行のテラーカウンターに設置された紙幣入出金機として用いられる。従って、この紙幣入出金機を操作するユーザ（又はオペレータ）は、基本的にはテラーである。
【００４３】
ここで、以下の説明に登場する用語を定義する。「正常紙幣」とは、後述する識別部によって識別可能な紙幣をいい、「リジェクト紙幣」とは、識別部で識別不能な紙幣をいう。「正券」とは、正常紙幣のうち、汚れや破れ等が比較的少ない状態の紙幣をいい、「損券」とは、正常紙幣のうち、汚れや破れ等が比較的多い状態の紙幣をいう。
【００４４】
図１及び図２に、紙幣入出金機１Ａ（以下、単に入出金機１Ａともいう）を示す。この入出金機１Ａは、いわゆる循環式の入出金機であり、出金処理時に払い出す紙幣には、入金処理時に収納部３に収納した紙幣が含まれる。入出金機１Ａは、ＬＡＮやＷＡＮ等のネットワークを介して、又は、直接的に上位端末Ｔ等と通信可能に接続し、システム化して用いることができる。入出金機１Ａに接続される上位端末Ｔは１台だけでなく、複数台に接続し、いずれか一つの上位端末Ｔを選択的に切り替えて用いることができる。
【００４５】
入出金機１Ａは、上部の処理部１１と、中間部の第１金庫部１３と、下部の第２金庫部１４とに大別される。処理部１１を構成する筐体１１１内には、入金口２１１を有する入金部２１と、第１及び第２出金口２３１、２３２を有する出金部２３と、紙幣の識別を行う識別部２５と、一時的に紙幣を収納する一時保留部５１と、入金部２１、出金部２３、識別部２５及び一時保留部５１を相互に連結するループ搬送路４１１を含む搬送部４１と、が配設されている。一方、処理部１１を構成する筐体１１１の下側に配置される筐体１３１は、第１及び第２金庫部１３、１４を構成する筐体であり、その内部に格納している収納部３等を、所定以上のセキュリティレベルで防護するように構成されている（防護筐体１３１ともいう）。
【００４６】
第１金庫部１３には、複数の（図例では４個の）スタック式の収納カセット３１を含んで構成された収納部３と、同じくスタック式の精査カセット３３とが配設され、第２金庫部１４には、回収カセット５３が配設されている。防護筐体１３１の前面には、第１金庫部１３を開閉するための第１開閉扉１３３と、第２金庫部１４を開閉するための第２開閉扉１３５とがそれぞれ個別に設けられている。
【００４７】
入金口２１１は、例えば入金処理の際に入金する紙幣を投入するための口である。入金口２１１は、処理部側筐体１１１の上面において上向きに開口していて、複数枚の紙幣を一度に受け入れ可能に構成されている。入金部２１はまた、入金口２１１に投入された複数枚の紙幣を、一枚ずつ、ループ搬送路４１１に繰り出す繰り出し機構を備えている。
【００４８】
第１及び第２出金口２３１、２３２はそれぞれ、例えば出金処理の際に紙幣を払い出すための口である。これらの出金口２３１、２３２は、入金口２１１よりも奥行き方向の手前側の、処理部側筐体１１１における上面から前面にかけての位置で前後に並んでかつ、斜め上方に向かって開口している。これら第１及び第２出金口２３１、２３２は、搬送されてきた紙幣を集積し、複数枚の紙幣を一度に保持可能なリフトを有している（図示省略）。リフトは、リフト機構により、紙幣の抜き取り可能な払出位置と、紙幣の抜き取り不能な待機位置とに移動する。
【００４９】
識別部２５は、ループ搬送路４１１上に配設されて、そのループ搬送路４１１に沿って搬送される紙幣の一枚一枚について、その真偽、金種及び正損を識別するように構成されている。具体的には、画像センサ、赤外線センサ、紫外線センサ、及び磁気センサ等の、紙幣の特徴を取得するセンサを搭載し、搬送される紙幣の特徴が、記憶している各種紙幣の特徴と一致するかを判定し、金種、真偽、及び正損を識別する。本入出金機１Ａの識別部２５はまた、紙幣に印字されている記番号を光学的に読み取る機能を有している。ここで、記番号の読み取りは、紙幣における所定の位置に印字されている記番号の画像を取得し、その取得した画像に基づいて、記番号の各桁の文字や数字を認識することである。尚、識別部２５が記番号の読み取りを行うのではなく、識別部２５とは別の読取部を、例えばループ搬送路４１１上に配置してもよい。また、識別部２５におけるセンサ以外の機能を、後で述べる制御部５１３が行ってもよい。
【００５０】
搬送部４１は、処理部側筐体１１１内においてエンドレスに設けられたループ搬送路４１１を備えている。紙幣は、このループ搬送路４１１に沿って図２における時計回り方向及び反時計回り方向に搬送される。このループ搬送路４１１は、図示は省略するが、多数のローラ、複数のベルト、これらを駆動するモータ、搬送される紙幣を検出するセンサ及び複数のガイドの組み合わせによって構成されている。ループ搬送路４１１は、その搬送路に沿って、紙幣と紙幣との間に所定間隔を隔てた状態で、紙幣を一枚ずつ短手搬送する。ループ搬送路４１１と入金口２１１との間は、投入路４１３によって互いに接続されており、入金口２１１に投入された紙幣は、この投入路４１３を通ってループ搬送路４１１まで搬送される。
【００５１】
ループ搬送路４１１には、４つの収納カセット３１のそれぞれに接続される分岐路４１７が、図示省略の分岐機構を介して接続されており、各分岐機構の動作制御によって、ループ搬送路４１１上を搬送されている紙幣が選択的に、分岐路４１７を通じて４つの収納カセット３１のいずれかに搬送されてそこに収納されると共に、いずれかの収納カセット３１から繰り出された紙幣が、分岐路４１７を介してループ搬送路４１１に搬送されるようになる。
【００５２】
ループ搬送路４１１にはまた、第１及び第２払出路４１５、４１６が、紙幣の搬送方向を切り替える分岐機構（図示省略）を介してそれぞれ接続されている。第１払出路４１５の先端は、第１出金口２３１に接続され、第２払出路４１６の先端は、第２出金口２３２に接続されている。各分岐機構は、互いに異なる３方向に延びる搬送路の集合位置において、所定方向から搬送されてくる紙幣を、それとは別の２方向それぞれに選択的に搬送させるように動作する。分岐機構の具体的な構成は、国際公開第２００９／０３４７５８号に例示されている。この構成によって、ループ搬送路４１１上を搬送されている紙幣は、分岐機構の動作制御によって選択的に、第１又は第２払出路４１５、４１６を通って第１又は第２出金口２３１、２３２に搬送される。
【００５３】
ループ搬送路４１１にはさらに、精査カセット３３に接続される第１接続路４１８と、回収カセット５３に接続される第２接続路４１９とが、それぞれ図示省略の分岐機構を介して接続されている。この内、第２接続路４１９は、第１金庫部１３を上下に貫通するように延びて配設されており、その途中に分岐路４１１０が設けられている。この分岐路４１１０は、後述する第４収納カセット下部３１−４Ｌに接続されている。
【００５４】
これら第１接続路４１８及び第２接続路４１９の接続位置に設けられた各分岐機構もまた、互いに異なる３方向に延びる搬送路の集合位置において、所定方向から搬送されてくる紙幣を、それとは別の２方向それぞれに選択的に搬送させるように動作する。この構成によって、ループ搬送路４１１上を時計回り方向又は反時計回りに搬送されている紙幣は、分岐機構の動作制御によって選択的に、第１接続路４１８を通って精査カセット３３に搬送されるか、第２接続路４１９を通って、第４収納カセット下部３１−４Ｌ又は回収カセット５３に搬送される。また、精査カセット３３又は第４収納カセット下部３１−４Ｌから繰り出されかつ、第１又は第２接続路４１８、４１９を通って搬送されてきた紙幣が、ループ搬送路４１１上で時計回り又は反時計回り方向に搬送される。
【００５５】
収納部３は、前述したように、図例では第１−第４のスタック式の収納カセット３１を含んで構成されている。ここで、以下の説明において、各々の収納カセットを総称する場合には、符号「３１」を付し、第１、第２、第３…の、各々の収納カセットを区別する場合には、符号「３１−１、３１−２、３１−３…」を付す。尚、収納カセット３１の数は特に限定されず、１個以上で、適宜の数を設定すればよい。４個の収納カセット３１は、この例では、装置の奥行き方向に並んで配設されている。
【００５６】
詳細な図示は省略するが、収納部３は、第１金庫部１３の開閉扉１３３を開けた状態で、装置の手前に引き出すことができる。収納部３を引き出した状態で、各収納カセット３１はそれぞれ、装置に対して取り外し、取り付けができるように構成されている。
【００５７】
各収納カセット３１の内部には、そこに集積される紙幣の量に応じて昇降する集積台３１１が配設されている。第１−第３収納カセット３１−１、３１−２、３１−３は、ループ搬送路４１１から、各カセットの出入口を通ってその内部に送り込まれた紙幣を、集積台３１１の上で、下から上の順に積み重ねて収納するように構成され、かつ、集積台３１１上に積み重ねられた紙幣を、上から下の順に一枚ずつ出入口を通じてループ搬送路４１１に繰り出すことが可能に構成されている。
【００５８】
これに対し、第４収納カセット３１−４は、その内部に仕切りが設けられており、これによって第４収納カセット３１−４は、上側のカセット上部（第４収納カセット上部３１−４Ｕ）と、下側のカセット下部（第４収納カセット下部３１−４Ｌ）に分割されている。第４収納カセット上部３１−４Ｕの出入口は、その上面に形成されている。第４収納カセット下部３１−４Ｌの出入口は、その側面に形成されている。収納カセット上部３１−４Ｕの出入口には、ループ搬送路４１１から分岐した分岐路４１７が接続され、収納カセット下部３１−４Ｌの出入口には、第２接続路４１９から分岐した分岐路４１１０が接続されている。
【００５９】
これにより、第４収納カセット上部３１−４Ｕは、第１収納カセット３１−１等と同様に、紙幣を収納、繰り出すことが可能に構成されている。対して、第４収納カセット下部３１−４Ｌは、ループ搬送路４１１から、第２接続路４１９を通ってその内部に送り込まれた紙幣を、集積台３１１の上で、下から上の順に積み重ねて収納するように構成され、かつ、集積台３１１上に積み重ねられた紙幣を、上から下の順に一枚ずつ第２接続路４１９及びループ搬送路４１１に繰り出すことが可能に構成されている。
【００６０】
精査カセット３３は、各収納カセット３１の精査処理に利用されるカセットであり、各収納カセット３１に収納している紙幣を全て収納することが可能となるように、収納カセット３１と同じかそれよりも大きい容量を有している。精査カセット３３は、精査処理時以外の通常時は、空である。精査カセット３３は、第１金庫部１３内において、第２接続路４１９を挟んだ第４収納カセット３１−４とは反対側の位置において、筐体１３１に対し着脱可能に取り付けられている。
【００６１】
この精査カセット３３は、収納カセット３１と同様にスタック式であり、収納カセット３１と同様に、その上面に出入口が形成され、その内部には集積台３３１が設けられている。精査カセット３３の出入口は、前述の通り、第１接続路４１８に接続されており、精査カセット３３は、ループ搬送路４１１から出入口を通ってカセット内に送り込まれた紙幣を、集積台３３１の上に、下から上の順に積み重ねて収納すると共に、集積台３３１上に積み重ねられている紙幣を、上から下の順に一枚ずつ出入口を通じてループ搬送路４１１に繰り出すことが可能に構成されている。尚、この精査カセット３３を、精査処理用の精査カセットとして構成する代わりに、収納カセット３１の一つ（第５収納カセット）として構成してもよい。
【００６２】
一時保留部５１は、第２出金口２３２に接続される第２払出路４１６の途中からさらに分岐した分岐路に接続されている。この一時保留部５１は、例えば出金処理時に発生したリジェクト紙幣を一時的に収納する収納部である。一時保留部５１は、スタック式の収納カセット３１等とは異なり、巻き取り方式に構成されている。
【００６３】
つまり、この巻き取り方式の一時保留部５１は、特開２０００−１２３２１９号公報に例示されるように、概略矩形箱状の筐体内に、紙幣をガイドする一枚のテープ、ガイド部材、及び、紙幣と共にテープを巻き取るリールを備えて構成されるか、又は、本件出願人が先に出願したＰＣＴ／ＪＰ２００９／０６６７２９に例示されるように、筐体内に、紙幣を挟む２枚のテープ、及び、紙幣を挟み込んだ２枚のテープを巻き取るリールを備えて構成される。いずれの構成においても、巻き取り方式の一時保留部５１は、紙幣を一枚ずつ巻き取って収納すると共に、その収納した順番とは逆順で、紙幣を一枚ずつ繰り出す、いわゆる先入れ後出しとなるように紙幣を収納する。
【００６４】
回収カセット５３は、第２金庫部１４内に着脱可能に取り付けられており、前述したように、第２接続路４１９を介してループ搬送路４１１に接続されている。回収カセット５３はスタック式の収納部であるが、前述した収納カセット３１や精査カセット３３とは異なり、装置の奥行き方向に細長い形状を有しており、図示は省略するが、その内部に奥行き方向に移動する札押さえを備えている。回収カセット５３は、その札押さえが紙幣の収納量に応じて移動をしながら、立てた姿勢の紙幣を奥行き方向に並べるように収納するよう構成されている。
【００６５】
回収カセット５３はまた、収納カセット３１や精査カセット３３とは異なり、収納している紙幣を繰り出し不可に構成されている。回収カセット５３には、例えば入金処理時に入金口２１１に投入された紙幣のうち、収納部３に収納しきれなかった紙幣（オーバーフロー紙幣）が収納される。また、出金処理時等に識別不可であったリジェクト紙幣が、この回収カセット５３に収納される場合がある。
【００６６】
図３は、入出金機１Ａの動作制御に係る構成を示している。入出金機１Ａは、例えば周知のマイクロコンピュータをベースとした制御部５１３を備えている。制御部５１３には、前述した入金部２１、出金部２３、第１−第４収納カセット３１を含む収納部３、精査カセット３３、一時保留部５１、回収カセット５３、及び搬送部４１が、信号の送受信可能に接続されている。これらの各部２１，２３，３，３３，４１，５１，５３は、例えば図２に示す、収納カセット３１、精査カセット３３及び回収カセット５３の出入口に設けられかつ、紙幣の通過を検知する通過センサ３１２のような、搬送中の紙幣を検知するといった機能を有する各種のセンサを含んでおり、各種センサの検知信号は制御部５１３に入力される。制御部５１３は、入力された検知信号等に基づいて制御信号を出力し、各部２１，２３，３，３３，４１，５１，５３は、その制御信号に従って動作する。
【００６７】
制御部５１３にはまた、識別部２５が接続されており、識別部２５は、識別結果及び記番号の読み取り結果を制御部５１３に提供する。さらに、入出金機１Ａを操作するオペレータに対するヒューマンインターフェース部分としての操作部５５が接続されている。例えばＬＡＮやシリアルバスを通じて、入出金機１Ａが上位端末Ｔ等との間で信号の送受信を行うための通信部５７も制御部５１３に接続されている。各種の情報を記憶するための、例えばハードディスクドライブやフラッシュメモリ等の汎用のストレージデバイスにより構成される記憶部５９も制御部５１３に接続されている。
【００６８】
記憶部５９は、入出金機１Ａが収納している紙幣の金種別枚数又は金額である在高を少なくとも記憶する。また、記憶部５９は、収納カセット３１毎の在高も記憶する。具体的には、記憶部５９はカウンタを有し、各カセットへの紙幣の収納時及び各カセットからの紙幣の繰出時に、リアルタイムに紙幣のカウントを行う現物在高として、各収納カセット３１や精査カセット３３、回収カセット５３毎にカウンタが設定される。また、入金処理や出金処理が完了したときにも機内在高としてカウンタが設定される。
【００６９】
図４の（ａ）は、この入出金機１Ａの記憶部５９に設定されているカウンタの一覧を示している。各カセット３１、３３，５３への紙幣の収納時及び各カセット３１、３３，５３からの紙幣の繰出時に、リアルタイムに紙幣のカウントを行う現物在高として、第１−第４収納カセット３１、精査カセット３３及び回収カセット５３毎にカウンタが設定されている。各カウンタには、１２８金種が設定されかつ、１金種につき２バイトのサイズが割り当てられている。また、入金処理や出金処理が完了したときにカウントを行う機内在高として、１２８金種でかつ、１金種につき２バイトのサイズが割り当てられたカウンタが設定されている。これらのカウンタは、通過センサ３１２の検知結果に基づいて増減する。
【００７０】
また、この入出金機１Ａでは、紙幣の管理を記番号を利用して行うように構成されており、記憶部５９は、例えば図５に例示するように、各部に収納している紙幣の記番号を、その収納順に並べると共に、各々の記番号を、その収納枚数に対応する通し番号に関連付けた記番号リストＬを記憶している。図４の（ｂ）は、この記番号リストの一覧を示している。第１−第４収納カセット３１及び精査カセット３３については、それぞれ３０００枚分で、紙幣一枚につき１６バイトのサイズが割り当てられている。回収カセット５３については、５０００枚分で、紙幣一枚につき１６バイトのサイズが割り当てられ、出金部２３については、２２０枚分で、紙幣一枚につき１６バイトのサイズが割り当てられ、一時保留部５１については、５２０枚分で、紙幣一枚につき１６バイトのサイズが割り当てられている。
【００７１】
例えば、各収納カセット３１のカウンタは、その出入口を通過する紙幣を通過センサ３１２が検知することで、その紙幣の金種の情報に基づき、その収納カセット３１の在高におけるその金種の枚数を加算又は減算する。各収納カセット３１の記番号も、その出入口を通過する紙幣を通過センサ３１２が検知することで、その紙幣の記番号情報に基づき、その収納カセット３１の記番号リストＬに順に記憶、又は削除する。
【００７２】
また、記憶部５９は、入出金機１Ａにおいて実行された各種処理の履歴をログとして記憶する。
【００７３】
入出金機１Ａには、各種の情報を表示するため、例えば図２に仮想的に示すフラットパネルディスプレイからなる表示部５１１が装着可能に構成されている。この表示部５１１もまた、制御部５１３に接続される。表示部５１１をタッチパネル式のディスプレイとして、表示部５１１と操作部５５とを一体にしてもよい。
【００７４】
制御部５１３は、通信部５７を通じて受けた上位端末Ｔからの指令、及び／又は、操作部５５を通じて受けた各種の指令に応じて、各部２１，２３，２５，３，３３，４１，５１，５３，５５，５７，５９，５１１の動作を制御する。
【００７５】
（直接入金処理）
直接入金処理は、入出金機１Ａに入金（収納）された正常紙幣を直接的に収納カセット３１に収納する処理である。入金口２１１に投入された紙幣は、識別部２５による識別結果と、予め設定された収納割当とに従って、いずれかの収納カセット３１に収納される。
【００７６】
図６に、入金処理時における入出金機１Ａの動作を示す。入金する紙幣を入金口２１１に投入した状態で、例えば上位端末Ｔ等の操作によって入金処理の開始コマンドを、入出金機１Ａに入力する。入金部２１の繰り出し機構は、同図に矢印（実線）で示すように、入金口２１１の紙幣を一枚ずつ繰り出し、搬送部４１は、各紙幣を識別部２５に搬送する。識別部２５は、その紙幣の識別や計数、記番号の読み取り（これらを包括的に識別ともいう）を行う。
【００７７】
搬送部４１はまた、正常紙幣であって、記番号を全桁読み取ることができた紙幣を、同図に矢印（実線）で示すように、その識別結果及び予め設定された収納割当に従って、所定の収納カセット３１に収納する。すなわち、各紙幣は、金種別や正損別に応じて、第１−第４のいずれかの収納カセット３１に収納される。
【００７８】
尚、収納カセット３１に割り当てが設定されておらずかつ、回収カセット５３に割り当てが設定されている金種の紙幣（正常紙幣）や損券は回収カセット５３に収納される。また、割り当てが設定されている収納カセット３１が満杯であるとき等にも、回収カセット５３に正常紙幣が収納される。
【００７９】
一方、搬送部４１は、リジェクト紙幣を、同図に矢印（破線）で示すように、第２出金口２３２に払い出す。尚、入金処理時に発生したリジェクト紙幣は、入金口２１１に再度投入され、識別部２５による識別が、もう一度行われることになる。
【００８０】
また、入金処理時に、収納カセット３１及び回収カセット５３が共に満杯になることに起因して、収納することができなくなった紙幣は、同図に矢印（破線）で示すように、第１出金口２３１に払い出される。尚、リジェクト紙幣を、第１出金口２３１に払い出すようにし、収納することができなくなった紙幣を、第２出金口２３２に払い出すようにしてもよい。
【００８１】
本入出金機１Ａではまた、正常紙幣であっても、記番号を全桁読み取ることができなかった紙幣は、損券等と同様に回収カセット５３に収納される。つまり、正常紙幣であるため、入金の取引は確定することができる一方で、記番号を全桁読み取ることができない紙幣は、入出金機１Ａ内で記番号に基づく管理ができず、収納カセット３１に収納することができない紙幣である。そこで、入金処理時には、入金処理をスムースに確定させることを優先すべく、正常紙幣であっても、記番号を全桁読み取ることができなかった紙幣は、記番号に基づく管理外である回収カセット５３に収納する。尚、ここでは、記番号を全桁読み取ることができるか否かに応じて紙幣の収納先を変更しているが、全桁としなくても、所定桁数（但し、全桁未満とする）の記番号を読み取ることができるか否かに応じて、紙幣の収納先を変更するようにしてもよい。その場合の「所定桁数」は、ユーザが任意に設定可能に構成してもよい。
【００８２】
ここで、例えば正常紙幣であって、記番号を全桁読み取ることができなかった紙幣を、リジェクト紙幣と同様に第２出金口２３２に払い出し、入金口２１１に再投入することで、識別部２５による識別を、もう一度行うようにすることも可能である。しかしながら、こうした場合は、正常紙幣であるため、入金取引を確定させることが可能であるにも拘わらず、オペレータの手間が増えると共に、入金処理を完結するまでに時間を要することになる。これは、銀行における窓口業務の停滞を招く虞がある。
【００８３】
これに対し、前述の通り、正常紙幣であっても、記番号を全桁読み取ることができなかった紙幣を回収カセット５３に収納することは、入金処理を速やかに完結させることを可能にし、窓口業務の停滞を未然に回避することができる。また、回収カセット５３に収納することで、当該紙幣は記番号に基づく管理が不要であり、入出金機１Ａのその後の動作にも、何ら不都合はない。
【００８４】
このようにして入金処理が終了した後には、記憶部５９に記憶している在高が更新される。それと共に、各収納カセット３１に収納している紙幣の記番号を収納順に並べた記番号リストＬが、紙幣の収納に応じて更新される。尚、入金処理の最中に、各収納カセット３１に紙幣が収納される度に、通過センサ３１２の検知結果を受けて記憶部５９に記憶している在高を更新すると共に、記番号リストＬを更新するようにしてもよい。
【００８５】
（入金口補充処理）
入金口補充処理は、収納カセット３１に外部から紙幣を補充する処理である。正券のみを各収納カセット３１に補充することができる。具体的には、図７に示すように、入金口２１１に投入された紙幣を識別し、入出金機１Ａが取り扱う金種の正券のみを該当する収納カセット３１に収納し、それ以外の紙幣、例えば損券やリジェクト紙幣は第１出金口２３１や第２出金口２３２に払い出す。
【００８６】
入金口補充処理における入出金機１Ａ内での動作は、直接入金処理と基本的には同様である。ただし、搬送部４１は、同図に矢印（実線）で示すように、識別部２５において入出金機１Ａが取り扱う金種の正券と識別された紙幣であって、記番号を全桁読み取ることができた紙幣を、該当する各収納カセット３１に搬送する。搬送部４１は、それ以外の紙幣、例えば損券やリジェクト紙幣、取り扱い対象外の紙幣であると識別部２５で識別された紙幣は、同図に矢印（破線）で示すように、第２出金口２３２に搬送する。搬送部４１はまた、再度識別しても入出金機１Ａに収納できない紙幣、例えば収納カセット３１に設定されている金種以外の金種の紙幣や、収納先の収納カセット３１が満杯である紙幣については、同図に矢印（破線）で示すように、第１出金口２３１に搬送する。
【００８７】
また、正券であっても、記番号を全桁読み取ることができなかった紙幣は、入金処理と異なり、一点鎖線の矢印で示すように一時保留部５１に一時的に収納される。
【００８８】
一時保留部５１に収納された紙幣は、図８に示すように、入金口２１１に投入された紙幣が全て繰り出されかつ、第１出金口２３１及び第２出金口２３２に払い出された紙幣が、そこから取り出された後に、一枚ずつ繰り出され、同図に実線の矢印で示すように、識別部２５による識別が再度行われる。その再識別の結果、正券であって、記番号を全桁読み取ることができた紙幣は、その後、破線の矢印で示すように、該当する各収納カセット３１に搬送されて、そこに収納される。当初の識別の際に紙幣が識別部２５を通過する際の紙幣の表裏と、再識別の際に紙幣が識別部２５を通過する際の紙幣の表裏とは逆になるため、再識別時に記番号を全桁読み取ることが可能になることも起こり得る。
【００８９】
一方、搬送部４１は、再識別によっても記番号を全桁読み取ることができなかった紙幣は、同図に一点鎖線の矢印で示すように、第２出金口２３２に搬送する。この紙幣は、後述する記番号入力モードが選択されたときには、記番号を手入力する対象となる。
【００９０】
このように、補充処理においては、記番号を全桁読み取ることができなかった紙幣は、回収カセット５３に収容するのではなく、一時保留部５１に一旦、収納し、再識別を行う。これは、補充処理は、入金処理とは異なり、収納カセット３１内に紙幣を補充することが本来の目的であり、可能な限り、紙幣を収納カセット３１内に収納することが望ましいためである。また、入金処理のような窓口業務とは異なり、補充処理は処理を速やかに完結させるという要求に乏しいことも理由の一つである。
【００９１】
（記番号入力モード）
本入出金機１Ａでは、前述した再識別の結果、記番号を全桁読み取ることができずに第２出金口２３２に紙幣が払い出された場合、その紙幣の記番号をオペレータが手入力しかつ、手入力された記番号を記番号リストＬの更新に利用する記番号入力モードに移行することが可能に構成されている。
【００９２】
記番号入力モードへの移行は、記番号を全桁読み取ることができない紙幣が発生したときには自動的に（言い換えると、強制的に）移行するようにしてもよいし、オペレータが移行するか否かを選択するようにしてもよい。記番号入力モードへの移行の選択は、補充処理を開始する際に行ってもよいし、記番号を全桁読み取ることができない紙幣が発生した時点で行ってもよい。
【００９３】
記番号入力モードでは、上位端末Ｔの表示部に、例えば図９（ａ）に示すような画面Ｓ１、又は、同図（ｂ）に示すような画面Ｓ２が表示される。表示部５１１が装着されているときには、その表示部５１１に画面Ｓ１、Ｓ２を表示してもよい。表示部５１１に表示する場合は、入出金機１Ａの操作部５５を通じて記番号を入力してもよい。
【００９４】
画面Ｓ１、Ｓ２は、記番号を全桁読み取ることができなかった紙幣に関する情報を表示している。同図（ａ）に示す画面Ｓ１では、識別部２５において撮像された、紙幣のイメージ６１と、識別部２５における記番号の読み取り結果６２と、を示している。紙幣のイメージ６１は、紙幣全体のイメージであってもよいし、紙幣における記番号の印字部分のみを切り取ったイメージであってもよい。また、読み取り結果６２には、記番号のうちで読み取り可能であった桁は、読み取り結果を、読み取り不可能であった桁は、図例では「？」をそれぞれ表示している。オペレータは、第２出金口２３２に払い出された紙幣の現物と、画面Ｓ１に表示されている紙幣のイメージ６１及び記番号の読み取り結果６２とを参照しながら、当該紙幣の記番号を上位端末Ｔの入力部を通じて、画面Ｓ１上の入力欄、図例では読み取り結果６２における「？」の表示部分に入力する。尚、画面Ｓ１には、紙幣のイメージ６１及び読み取り結果６２のいずれか一方のみを表示してもよい。
【００９５】
そのようにして記番号の手入力が完了すれば、当該紙幣を入金口２１１に投入する。入金口２１１に投入された紙幣は、所定の操作を行うことで機内に繰り出され、識別部２５において識別（記番号の読み取りを含む）される。制御部５１３は、入力された記番号と読み取り結果とを照合する。その照合の結果、入力された記番号と読み取り結果とが同じであると判定できたときには、一時保留部５１に紙幣を一旦収納する。ここでの判定は、例えば「所定桁数以上の同一性が確保されている」といった判定条件に基づいて行えばよい。尚、入力された記番号と読み取り結果とを照合した結果、入力された記番号と読み取り結果とが同じであると判定できないときには、当該紙幣は、第２出金口２３２に払い出せばよい。
【００９６】
画面Ｓ１にはまた、記番号入金６３と、一保返却６４との操作ボタンが設けられており、記番号入金６３を選択したときには、一時保留部５１に収納されている紙幣が、その紙幣に該当する収納カセット３１に収納されて記番号入力モードが終了する。尚、記番号入金６３は、記番号が入力されかつ、紙幣が一時保留部５１に収納された後でなければ操作できないように構成されている。
【００９７】
一方、一保返却６４を選択したときには、一時保留部５１に収納されている紙幣が、第２出金口２３２に払い出されて、記番号入力モードが終了（中止）する。
【００９８】
以上のようにして補充処理（記番号入力モードも含む）が終了すれば、記憶部５９に記憶している在高が更新される。それと共に、各収納カセット３１に収納している紙幣の記番号を収納順に並べた記番号リストＬが、紙幣の収納に応じて更新される。尚、補充処理の最中に、各収納カセット３１に紙幣が収納される度に、通過センサ３１２の検知結果を受けて記憶部５９に記憶している在高を更新すると共に、記番号リストＬを更新するようにしてもよい。ここで、用いる記番号の情報は、識別部２５が読み取った記番号が基本的に用いられるが、記番号入力モードにおいてオペレータが記番号を手入力をした場合は、その手入力をした記番号が用いられる。
【００９９】
このような記番号入力モードを設けることにより、補充処理においては、可能な限りの紙幣を収納カセット３１に収納（つまり、補充）することが可能になる。
【０１００】
尚、記番号入力モードにおいて記番号を手入力する対象の紙幣が複数枚存在するときには、紙幣の一枚一枚について、図９（ａ）に示す画面Ｓ１を表示して記番号の手入力、及び、当該紙幣の入金口２１１への投入、を逐次、行ってもよい。このような、記番号の逐次入力は、手入力された記番号の情報と紙幣とを、正確に対応付けることが可能になる。
【０１０１】
一方、手入力の対象の複数枚の紙幣の記番号を、一括して入力し、その後、その複数枚の紙幣を一度に入金口２１１に投入するようにしてもよい。このときに表示される画面は、前述した画面Ｓ１を、順次表示するようにしてもよいし、複数枚の紙幣に関する情報を一つの画面にまとめて表示する画面Ｓ２としてもよい（図９（ｂ）参照）。画面Ｓ２には、記番号の手入力に対象となる紙幣それぞれについて、識別部２５における読み取り結果６５が表示されている。図例では、一つの画面に、１０枚分の紙幣の記番号を入力するように構成されているが、記番号の手入力対象の紙幣の枚数に応じて、読み取り結果６５の構成は変化する。また、多数の紙幣が記番号の手入力の対象となる場合は、複数ページに分けて表示してもよい。
【０１０２】
オペレータは、第２出金口２３２に払い出された各紙幣の現物と、画面Ｓ２に表示されている記番号の読み取り結果６５とを参照しながら、各紙幣の記番号を上位端末Ｔの入力部を通じて、画面Ｓ２上の入力欄、図例では読み取り結果６５における「？」の各表示部分に入力する。
【０１０３】
そうして、全ての紙幣の記番号の手入力が完了すれば、その複数枚の紙幣を一度に入金口２１１に投入し、所定の操作を行う。このことで、入金口２１１に投入されている紙幣は、一枚ずつ繰り出される。識別部２５は、各紙幣の識別（記番号の読み取りを含む）を行い、制御部５１３は、入力された記番号と読み取り結果とを照合する。そうして、手入力された記番号と各紙幣との対応付けを行う。こうすることで、画面Ｓ２における紙幣の順番と、入金口２１１に投入する紙幣の順番とが異なっていても、手入力された記番号と各紙幣とを、正確に対応付けることが可能になる。対応付けができた紙幣は、一時保留部５１に、一旦収納される。一方、入力された記番号と紙幣との対応付けができない紙幣、例えば手入力された記番号と識別部２５で読み取った記番号との不一致桁数が、手入力した記番号の桁数よりも多いような紙幣は、リジェクト紙幣として第２出金口２３２に払い出せばよい。
【０１０４】
画面Ｓ２においても、記番号入金６３と、一保返却６４との操作ボタンが設けられており、記番号入金６３を選択したときには、一時保留部５１に収納されている紙幣が、その各紙幣に該当する各収納カセット３１に収納されて記番号入力モードが終了する。また、一保返却６４を選択したときには、一時保留部５１に収納されている紙幣が、第２出金口２３２に払い出されて、記番号入力モードが終了（中止）する。
【０１０５】
このような記番号の一括入力は、逐次入力と比べてオペレータの手間が省かれ、記番号入力作業が効率化する。尚、記番号の逐次入力方式と、一括入力方式とは、オペレータが任意に選択可能に構成してもよい。
【０１０６】
（精査カセット補充処理）
精査カセット補充処理は、精査カセット３３に収納されている紙幣を識別し、入出金機１Ａに設定されている金種のうち、正券のみを該当する収納カセット３１に収納し、それ以外の紙幣は第２出金口２３２に払い出す処理である。精査カセット補充処理によれば、精査カセット３３に補充したい紙幣をまとめて収納し、一括して該当する収納カセット３１に補充することができる。
【０１０７】
具体的には、上位端末Ｔ等で所定の操作が行われることにより、精査カセット補充処理が開始され、精査カセット補充指示待ちの状態となる。オペレータは第１開閉扉１３３を開いて、精査カセット３３に補充する紙幣をセットし、第１開閉扉１３３を閉じて元の状態に戻す。そうすると、上位端末Ｔ等から精査カセット補充指示により、補充処理が開始する。
【０１０８】
図１０に、精査カセット補充処理における入出金機１Ａの動作を示す。同図に示すように、搬送部４１は、同図に矢印（実線）で示すように、精査カセット３３から紙幣を繰り出し、識別部２５に搬送する。搬送部４１はまた、正券であって、記番号を全桁読み取ることができた紙幣を、同図に矢印（実線）で示すように、その識別結果や予め設定された収納割当に従って、所定の収納カセット３１に収納する。損券やリジェクト紙幣や設定外金種の紙幣は、同図に矢印（破線）で示すように、第１出金口２３１又は第２出金口２３２に払い出す。例えば、損券は第２出金口２３２に払い出し、その他のリジェクト紙幣等は第１出金口２３１に選択的に払い出す。
【０１０９】
また、正券であっても、記番号を全桁読み取ることができなかった紙幣は、入金口補充処理と同様に、一点鎖線の矢印で示すように一時保留部５１に一時的に収納される。
【０１１０】
尚、第１出金口２３１等に搬送する搬送路は、精査カセット３３から繰り出される搬送路と一部重複している。従って、識別部２５においてリジェクト紙幣と識別された場合には、一旦、精査カセット３３からの紙幣の繰り出し処理を中断し、リジェクト紙幣を第１出金口２３１等に搬送した後に精査カセット３３からの紙幣の繰り出し処理を再開する。
【０１１１】
一時保留部５１に収納された紙幣は、その後、図８に示すように、識別部２５による再識別が行われ、再識別の結果、正券であって、記番号を全桁読み取ることができた紙幣は、破線の矢印で示すように、該当する各収納カセット３１に搬送されて、そこに収納される。一方、再識別によっても記番号を全桁読み取ることができなかった紙幣は、同図に一点鎖線の矢印で示すように、第２出金口２３２に搬送する。
【０１１２】
第２出金口２３２に紙幣が払い出された後に、必要に応じて記番号入力モードに移行する点は、前述した入金口補充処理と同様である。
【０１１３】
こうして精査カセット補充処理（記番号入力モードも含む）が終了すれば、記憶部５９に記憶している在高が更新されると共に、各収納カセット３１に収納している紙幣の記番号を収納順に並べた記番号リストＬが、紙幣の収納に応じて更新される。尚、精査カセット補充処理の最中に、各収納カセット３１に紙幣が収納される度に、通過センサ３１２の検知結果を受けて記憶部５９に記憶している在高を更新すると共に、記番号リストＬを更新するようにしてもよい。精査カセット補充処理においても、可能な限りの紙幣を、収納カセット３１に収納（補充）することが実現する。
【０１１４】
（出金処理）
出金処理は、入出金機１Ａに収納されている正常紙幣を払い出す処理である。図１１に、その動作を示す。具体的には、上位端末Ｔ等において、少なくとも金種と枚数とを指定する所定の出金操作を行うことによって、出金処理は開始する。収納部３は、同図に矢印（実線）で示すように、指定された金種の紙幣を、それが収納されている収納カセット３１から、指定された枚数だけ繰り出す。搬送部４１は、繰り出された紙幣を識別部２５に搬送し、識別部２５が識別と、記番号の読み取りとを行った後に、正常紙幣は、第１出金口２３１（又は第２出金口２３２）に払い出される。
【０１１５】
出金処理時に発生するリジェクト紙幣は、同図に矢印（破線）で示すように、一時保留部５１に搬送され、収納される。一時保留部５１に収納された紙幣は、必要に応じて、出金処理の終了後に、各収納カセット３１又は回収カセット５３に収納される。
【０１１６】
一連の処理が終了すると、上位端末Ｔ等からの指示により、リフトが払出位置に移動し、第１出金口２３１に払い出された紙幣は、紙幣の抜き取り待ちとなる。紙幣が抜き取られると、リフトは待機位置に移動する。
【０１１７】
出金処理の終了後には、記憶部５９に記憶している在高が更新される。それと共に、各収納カセット３１に収納している紙幣の記番号を収納順に並べた記番号リストが、紙幣の収納に応じて更新される。尚、出金処理の最中に、各収納カセット３１から紙幣が繰り出される度に、通過センサ３１２の検知結果を受けて記憶部５９に記憶している在高を更新すると共に、記番号リストＬを更新するようにしてもよい。
【０１１８】
このように、ここで説明した入出金機１Ａでは、入金処理時には、記番号の認識状況に応じて、収納カセット３１（第１種の収納部）と回収カセット５３（第２種の収納部）とに分けて紙幣を収納するため、入金処理を、適切にかつスムースに完結させることが可能になる。
【０１１９】
一方、入金口及び精査カセット補充処理では、記番号が全桁認識できないときには、当該紙幣を回収カセット５３に収納するのではなく、再識別を行ったり、記番号の手入力を行うことで、できる限りの紙幣を収納カセット３１に収納（補充）することが可能になる。
【０１２０】
尚、ここに開示する技術は、前述した構成の入出金機１Ａに適用することに限らず、これとは異なる種々の構成の入出金機に適用することが可能である。
【０１２１】
また、前記の説明では、記番号が全桁読み取り可能か否かに応じて、処理を異ならせているが、全桁でなくても、紙幣を実質的に特定可能な桁数の記番号が読み取り可能か否かに応じて収納先を異ならせる等、その後の処理を異ならせてもよい。
【符号の説明】
【０１２２】
１Ａ  紙幣入出金機（紙幣処理装置）
２１  入金部
２１１  入金口
２５  識別部
３１  収納カセット（第１種の収納部）
５１  一時保留部（第２種の収納部）
５１３  制御部（収納制御部）
５３  回収カセット（第２種の収納部）
５５  操作部（記番号入力部）
５９  記憶部
５１１  表示部
Ｔ  上位端末（記番号入力部）
【図１】
2013205909.tif 000003
【図２】
2013205909.tif 000004
【図３】
2013205909.tif 000005
【図４】
2013205909.tif 000006
【図５】
2013205909.tif 000007
【図６】
2013205909.tif 000008
【図７】
2013205909.tif 000009
【図８】
2013205909.tif 000010
【図９】
2013205909.tif 000011
【図１０】
2013205909.tif 000012
【図１１】
2013205909.tif 000013